(57)【要約】【課題】  １枚のシートを２つ折にして製造される包装袋では、２つ折りにした折り部両端角部分を完全に密着させることが困難であり、どうしても微小な隙間ができてしまいその箇所からの漏れを生じるという問題があった。そのため、液漏れを防止できる包装袋及び当該包装袋の製造方法の提供を課題とする。【解決手段】  １枚のシートの少なくとも１箇所を２つ折にして成形される包装袋であって、該２つ折にした折り部両端角部近傍を少なくとも２回以上シールしてなることを特徴とする包装袋を提供する。【選択図】図４
2017202830.tif 000002
【特許請求の範囲】
【請求項１】
１枚のシートの少なくとも１箇所を２つ折にして成形される包装袋であって、
該２つ折にした折り部両端角部近傍を少なくとも２回以上シールしてなることを特徴とする包装袋。
【請求項２】
１枚のシートの少なくとも１箇所を２つ折りにする工程、
２つ折りにした折り部両端角部近傍をシールする工程、
開口部を１箇所残すようにシート周縁部をシールして袋体に成形する工程、
該開口部から収容物を収納する工程、
該開口部をシールする工程により製造される包装袋の製造方法。
【発明の詳細な説明】
【技術分野】
【０００１】
本発明は、液漏れを防止した包装袋及び当該包装袋の製造方法に関する。
【背景技術】
【０００２】
１枚のシートを２つ折りして、三方をシールすることで製造される包装袋、１枚のシートを２つ折等して製造される合掌折の包装袋等に種々の収容物が収納されて市場に出ている。
例えば、化粧用具関連では、三方をシールされた三方シールの包装袋に、薬液が含浸された所謂フェイスマスクやポイントマスクと呼ばれる化粧用具が収納されて販売されている。
また、これらの包装袋は、容易に開封しやすいようにイージーピールで包装されている場合が多い（特許文献１）。
上記の様な包装袋には、薬液が含浸された収容物が入っているために、製造工程、運搬工程或いは販売工程、更には消費者の手元での保管工程のどの工程においても液漏れは許されない。
【先行技術文献】
【特許文献】
【０００３】
【特許文献１】特開平１０−１３９０４８号公報
【発明の概要】
【発明が解決しようとする課題】
【０００４】
しかし、１枚のシートを２つ折にして製造される上記のような包装袋では、２つ折りにした折り部両端角部分を完全に密着させることが困難であり、どうしても微小な隙間ができてしまう問題があった。
つまり、製造最終工程で周縁をすべてシールされた包装袋に収納されているフェイスマスクやポイントマスクへの薬液の含浸を促進させる為に行われる押圧工程で液漏れを起こしたり、或いは、輸送中の振動や他製品との接触等により袋に圧が掛かり液漏れを起こしたり、または、消費者の手元でも何らかの原因で圧がかかり液漏れを起こしてしまうことがあった。
そのため、液漏れを防止できる包装袋が要望されていた。
【０００５】
そこで、本発明の発明者は、液漏れを防止できる包装袋について種々検討を行ったところ、１枚のシートを２つ折にして製造される包装袋では、２つ折りにした折り部両端角部分に液漏れの原因があることを見出し、当該箇所のシールを確実にすることで上記問題を解決出来ることを見出した。
【課題を解決するための手段】
【０００６】
すなわち、本発明に係る包装袋は、１枚のシートの少なくとも１箇所を２つ折にして成形される包装袋であって、該２つ折にした折り部両端角部近傍を少なくとも２回以上シールしてなることを特徴とするものである。
【０００７】
また、本発明に係る包装袋の製造方法は、１枚のシートの少なくとも１箇所を２つ折りにする工程、２つ折りにした折り部両端角部近傍をシールする工程、開口部を１箇所残すようにシート周縁部をシールして袋体に成形する工程、該開口部から収容物を収納する工程、該開口部をシールする工程からなる。
【発明の効果】
【０００８】
本発明の包装袋によれば、折り部両端角部近傍が少なくとも２回以上シールされていることで折り部の両端に生じていた微少な隙間をより確実にシールすることができ、液漏れを確実に防止できるものである。
つまり、従来の液漏れ箇所のシールを確実なものとしたことで、包装袋に収納されている例えば、フェイスマスクやポイントマスクへの薬液の含浸を促進させる為に行われる押圧工程での液漏れ、輸送中の振動や他製品との接触等により袋に圧力が掛かった際の液漏れ或いは消費者の手元でも何らかの原因で圧力が掛かった際の液漏れを防止することが出来る。
【図面の簡単な説明】
【０００９】
【図１】図１は、従来のヒートシールで生じる液漏れ箇所を示す概略図である。
【図２】図２は、本実施形態における包装袋の製造工程を示す概略図である。
【図３】図３(a)(b)(c)は、本実施形態における包装袋の製造工程を示す概略図である。
【図４】図４は、本実施形態における角部近傍のヒートシールの状態を示す概略図である。
【図５】図５(a)(b)(c)(d)(e)(f)は、角部近傍に施されたヒートシールの形状を示す概略図である。
【図６】図６は、本実施形態における開口部を設けた袋体を示す概略図である。
【図７】図７は、袋体の開口部の位置を示す概略図である。
【発明を実施するための形態】
【００１０】
以下、本発明に係る包装袋に付いて説明する。
本発明に係る包装袋は、１枚のシートの少なくとも１箇所を２つ折にして成形される包装袋であって、該２つ折にした折り部両端角部近傍を少なくとも２回以上シールしてなることを特徴とするものである。
使用できるシートとしては、種々の樹脂シートを用いることができ、例えば、ポリエチレン、ポリプロピレン、ポリエステル等のプラスチックフィルムからなるシート或いはこれらの２種以上の組合わせからなる積層シート、又はそれらにアルミ箔を積層してなるシート、更にそれらにシーラント層を積層してなるシート或いはイージーピール性を持ったシート等が挙げられる。尚、これらのシートは例示であり、本発明で用いることができるシートは上記記載のシートに限定されるものではない。
また、用いることができるシートの厚みとしては、収容物等により適宜の厚みのものを選択して使用することができる。例えば、収容物がフェイスマスク等の場合では、厚みが４０〜１２０μmのものを使用できる。
【００１１】
次に、上記シートをシールする手段としては、種々の方法を用いることができる。
当該方法としては、例えば、ヒートシール、熱圧着、熱溶着、熱融着等の方法が挙げられる。
ヒートシールする場合の温度としては、使用する材質、使用するシートの厚み等により適宜調整することができる。例えば、一例として１４０℃〜２１０℃でヒートシールすることができる。また、温度をかける時間も使用する材質、使用するシートの厚み等により適宜調整することができる。尚、ヒートシールする際の温度、時間に付いてもこれらは例示であり、これらに限定されるものではない。
【００１２】
ヒートシールする際に用いる機器としては、市販の機器類を適宜用いることができる。ヒートシールする機構としては、種々の方式を適宜用いることができる。例えば、２本のシールバー（例えば、棒状のヒートシールする箇所）の間に２つ折されたシートを置き、シールバーで両方から挟み込むようにしてヒートシールすることもできる。また、ヒートシールバーの形状も適宜調整することができる。尚、上記ヒートシールする機構は例示であり、この機能に限定されるものではない。
【００１３】
次に、本発明に係る包装袋の特徴に付いて説明する。
本発明に係る包装袋は、上記でも述べたように、１枚のシートを２つ折にして成形されるものあり、該２つ折にした折り部両端角部近傍を少なくとも２回以上シールしてなることを特徴とするものである。
【００１４】
従来より、１枚のシートを中央部分で２つ折にして、重ね合わされたシートの周縁部をシールされた、所謂、三方シールの包装袋が使用されている。
ここで、シートを２つ折に折り曲げシートの周縁部をシールした際には、図１に示すように折り部１０の端部に微小な隙間１１ができてしまいここからの液漏れという問題があった（図１の斜線部分はシール部１２を表す）。これは、シートを折り曲げた際には、シートの外側ではシートが引っ張られることになり、シート内側では逆に圧縮されることになるため、シート自身が元の形状に戻ろうとする力（開く方向に働く力）が働き、特に折り部に沿った両端角部のシールが困難になることに起因すると考えられる。そのため、何度もシールを行うと熱等の影響によりシートのシール箇所が硬くなり開封しにくくなったり、見栄えが悪くなることがあった。
【００１５】
そこで、本発明では、まず、最初に２つ折にしたシートの折り部両端角部近傍をシールして折り部両端角部近傍の元の形状に戻ろうとする力を低下させる。
次のシール（重ね合わされたシートの周縁部をシールする際に、再度前記角部近傍のシールを行う）で確実に微小な隙間を塞ぐものである。  
即ち、１度目のシールでピンポイント的に前記角部近傍をシールしておき、２度目のシールで再度前記角部近傍をシールすると共に包装袋に仕上げていくことである。
これにより、折り部両端角部近傍からの液漏れを防止でき、更に、折り部両端角部近傍以外の部分のシール回数を減らすことがきる。
例えば、シート厚が厚い場合であれば、折り部両端角部近傍のシールを２回、包装袋に仕上げるためのシート周縁部のシールを１回というようなことも可能である。例示の場合であれば、折り部両端角部近傍のシールは計３回となる。また、シート厚、シートの材質等により、各箇所のシール回数を調整することができる。
【００１６】
即ち、角部近傍は、ピンポイント的にシールされるため、その後、更に包装袋として仕上げるためのヒートシールが行われても熱等の影響によりシートのシール箇所が硬くなり開封しにくくなったり、見栄えが悪くなることを極力抑えることができる。
【００１７】
次に、本発明に係る包装袋の製造方法について図面を用いて説明する。
本発明の包装袋は、１枚のシートの少なくとも１カ所を２つ折りにする工程、次に、２つ折りにした折り部両端角部近傍をシールする工程、次に、１カ所開口部を残すようにシート周縁部をシールして袋体に成形する工程、次に、該開口部から収容物を収納する工程、次に、該開口部をシールする工程により製造される。
【００１８】
本実施形態では、三方シールによる包装袋の製造方法について説明する。
まず、図２に示すように１枚のシート１の少なくとも１カ所を２つ折りにする工程である。各辺の長さを揃えるように１枚のシート１のほぼ中央部分を２つ折りにする。
２つ折りにした箇所が、折り部１０に相当し、該折り部両端角部２０の近傍を次の工程でシールすることになる。
使用するシートについては、前記で説明したように、種々の樹脂シートを用いることがでる。本実施形態では、イージーピール性を持ったシート：構成としてポリエチレンテレフタレート層(厚み：25μm)／アルミニウム層(厚み：9μm)／ポリエチレンテレフタレート層(厚み：25μm)／EASY層(厚み：30μm)からなるものを用いた。ここで、EASY層とは、直鎖状低密度ポリエチレン樹脂とポリプロピレン樹脂とからなるものである。本実施形態では、前記EASY層同士が接するように折り曲げる。
【００１９】
次に、図３(a)に示すようにシートを２つ折にした折り部１０の両端角部２０の近傍３０をヒートシールする。
近傍３０をヒートシールすることで図３(b)に示すように角部２０が確実にシール１２されるのが理想的ではあるが、図３(c)に示すように折り部１０の端部に微小な隙間１１ができてしまいここから液漏れが起こることがあった。これは、シートを折り曲げた際に、シートの外側ではシートが引っ張られることになり、逆に折り部に沿ったシートの内側では、シートが圧縮されることになり、そのため、元の形状に戻ろうとする力（開く方向に働く力）が働き、隙間無くシールすることが困難になると考えられる。
そのため、本実施形態では、まず、折り部１０の両端角部２０の近傍３０をシールする。  この際には、両端角部２０に微小な隙間１１があってもかまわない。予め、当該近傍３０をヒートシールすることで、シートを折り曲げた際の折り部１０の元の形状に戻ろうとする力（開く方向に働く力）を可能な限り小さくしておくことが重要となる。
【００２０】
ここで、ヒートシールする箇所としては、シートを２つ折にした折り部１０の両端角部２０の近傍３０である。
図４に示すように近傍３０としては、折り部１０に沿った所定幅部分と、該折り部１０と直交するシートの両端部に沿った所定幅部分が交わる箇所（斜線が交わる箇所）である。
角部近傍３０の具体的な大きさとしては、例えば5mm×5mm位〜10mm×10mm位の大きさであり、これは適宜調整することができる。これらは包装袋の大きさ等を考慮して調整することが出来る。尚、ここに記載した大きさは、一例でありこれらの大きさに限定されることはない。
【００２１】
また、当該折り部１０両端角部近傍３０に施すヒートシールの形状（斜線が交わる箇所）としては、例えば、図５に示すようにＬ字状(a)、正方形(b)、長方形(c,d)、三角形状(e)、四分円形状(f)等が挙げられる。（尚、図５は、水平台に２つ折にしたシートを折り部１０を水平台に対して垂直に置いた状態での形状である。）
図５(a)(b)(c)(d)(e)(f)では、折り部両端角部近傍のヒートシールの形状を同一形状としたが、異なる形状とすることもできる。
ヒートシールする場合には、該角部近傍をシールバーで挟み込むようにしてシールする手段で行うことができる。ヒートシールする装置は、市販されている装置を用いることができる。ヒートシールする温度・時間条件についてもシートの種類・厚み等で適宜調整することができる。
【００２２】
次の工程としては、図６に示すように前工程で折り部両端角部近傍をヒートシールしたものを１箇所開口部４０を残すようにしてシートの未シール箇所（シート周縁部）をシール１２するものである。１箇所開口部４０を作るのは、そこから収容物を入れるためである。
この工程では，前工程で折り部両端角部近傍のシールした箇所を再シールする工程を含むものである。前工程での角部近傍をシールした箇所を再シールすることで、確実に微小な隙間を塞ぐことができ、液漏れを防止することができる。
【００２３】
つまり、角部２０の近傍３０は少なくとも２度はシールされることになる。これが、本発明の特徴であり、液漏れを起こしやすいと考えられる折り部１０両端角部２０近傍３０を少なくとも２度に亘りシールすることである。１度目のシールでは折り部１０の元に戻ろうとする力を極力小さくすることである。この際には、微小な隙間が生じていてもよい。  微小な隙間が生じていても２度目のシールで確実にその隙間を塞ぐことができる。
【００２４】
また、例えば、厚みのあるシートの場合であれば、折り部両端角部近傍を２度ヒートシルしておき、３度目のシールで包装袋を成形させるという手段を用いることができる。
シートの厚みや材質等で折り部両端角部近傍のヒートシール回数を適宜調整することができる。
【００２５】
該工程におけるヒートシールの温度、時間等についてもシートの厚みや材質等で適宜調整することが出来る。また、ヒートシールする装置に付いても市販されている装置を用いることができる。
【００２６】
本実施形態の当該工程を図７を用いて説明する。まず、図７(a)に示すように折り部両端角部近傍３０がシール１２される。次に、１箇所開口部４０を残すようにシート周縁部をシール１２するには、図７(a-1)と図７(a-2)に示す２通りがある。
図７(a-1)では、両端角部近傍３０が２度ヒートシール(斜線が交差している箇所)されることで開口部４０を有する袋体が得られ、図７(a-2)では、下端角部近傍３０だけが２度ヒートシール(斜線が交差している箇所)されることで開口部４０を有する袋体が得られる。
本実施形態では、図７(a-1)と図７(a-2)のどちらの経路で袋体を製造しても構わない。それぞれ収容物の形状等を考慮して最適な袋体を用いることができる。
【００２７】
次の工程としては、前記工程で成形した袋体の開口部から収容物を入れる工程である。収納工程を簡単に説明すれば、まず、開口部を広げて、例えば、折り畳まれたフェイスマスクやポイントマスクを該開口部から収納し、更に、該開口部からフェイスマスクやポイントマスクに含浸させる薬液を加える。該工程に用いられる装置としては、市販されている装置等を適宜用いることができる。
尚、ここでは、収容物としてフェイスマスクやポイントマスクを例示したが、これらに限定されることはない。
【００２８】
前記で説明したように当該袋体は、液漏れが起こる可能性が高い、シートの折り部角部近傍を少なくとも２度ヒートシールが施されているため、微小な隙間が確実に塞がれているため、液漏れが防止される。
【００２９】
最終工程としては、前記開口部４０をシールして密閉する工程である。図７(a-1)と図７(a-2)に示すように開口部４０をヒートシールする。  
図７(a-1)の場合には、開口部４０をシールすることで包装袋が成形される。
図７(a-2)の場合には、袋体の上端角部近傍が再度シールされることで微小な隙間が確実に塞がれ、液漏れが防止された包装袋が成形される。
図７(a-2)の場合も、シートの折り部角部近傍を少なくとも２度ヒートシールが施されることになる
該密閉された包装袋は、収納されているフェイスマスクにより薬液を含浸させるために、例えば、ローラー等に挟まれて押圧される。本実施形態の包装袋は、折り部両端角部近傍が少なくとも２回シールされているため、そこの箇所からの液漏れが確実に防止される。
【００３０】
尚、本実施形態の包装袋には、該包装袋の開封を容易にするための開封部（図示せず）を設けることができる。開封部の形状については、種々の形状を設けることができる。
【００３１】
本実施形態では、三方シールの包装袋について説明したが、１枚のシートから成形される包装袋として、例えば、合掌折の包装袋もある。この場合も本実施形態で説明した製造方法で製造することができる。
この場合も折り部角部近傍を少なくとも２度ヒートシールすることで液漏れを防止することができる。
【実施例】
【００３２】
（実施例１）
１枚のイージーピール性を持ったシート：ポリエチレンテレフタレート層(厚み：25μm)／アルミニウム層(厚み：9μm)／ポリエチレンテレフタレート層(厚み：25μm)／EASY層(厚み：30μm)を２つ折りにして、２つ折にした折り部両端角部近傍を２回ヒートシールしたものを用いて三方シール包装袋を１０００包製造した。該包装袋内には、薬液を含浸したフェイスマスクを収納した。
当該包装袋を１包ずつ両側から押圧して液漏れが生じるかどうか目視で確認を行った。
ここで、２つ折にした折り部両端角部近傍を２回シールしたとは、１度目のヒートシールで両端角部近傍をシールし、次いで、２度目のヒートシールは包装袋を成形する際のシールである。
尚、EASY層とは、直鎖状低密度ポリエチレン樹脂とポリプロピレン樹脂とからなる樹脂層である。また、シートの２つ折りは、EASY層同士が接するように折り曲げた。
【００３３】
（比較例１）
前記実施例１と同様のシートを用いて、１度のヒートシールで三方シール包装袋を１０００包製造した。該包装袋内には、薬液を含浸したフェイスマスクを収納した。
当該包装袋を１包ずつ両側から押圧して液漏れが生じるかどうか目視で確認を行った。
【００３４】
（評価）
実施例１では、１０００包中で液漏れを起こしたのは無かった。
比較例１では、１０００包中で液漏れを起こしたのが３５包あった。
この結果からも、折り部両端角部近傍を２度シールした包装袋が液漏れを確実に防止できることが判明した。
また、実施例１の包装袋と比較例１の包装袋での当該包装袋の開封性を比較したが両者には遜色はなかった。よって、折り部両端角部近傍を２度シールした包装袋でも、開封性が低下することが無いということを確認できた。また、両者のシール箇所の見栄え、硬さについても遜色はなかった。
【００３５】
以上のことより、本発明の包装袋は、折り部両端角部近傍からの液漏れを確実に防止することができる。そのため、製造工程は勿論、輸送中の振動や他製品との接触等により袋に圧が掛った際の液漏れ或いは消費者の手元でも何らかの原因で圧が掛った際に液漏れを防止することができるものである。
また、当該包装袋は、化粧品等の包装袋は勿論のこと、医薬品、食品等の液漏れを生じる可能性がある商品の包装袋として使用することができる。
【符号の説明】
【００３６】
１    シート
１０  折り部
１１  隙間
１２  シール
２０  角部
３０  近傍
４０  開口部
【図１】
2017202830.tif 000003
【図２】
2017202830.tif 000004
【図３】
2017202830.tif 000005
【図４】
2017202830.tif 000006
【図５】
2017202830.tif 000007
【図６】
2017202830.tif 000008
【図７】
2017202830.tif 000009